(57)【要約】      （修正有）【課題】ヘッド部の小型化を達成できる歯科用ハンドピースを提供する。【解決手段】ヘッド部３０の内部に設けられ、歯牙治療具が装着されるスリーブ３２と、前記ヘッド部に連結するグリップ部２０の内部に設けられ、前記スリーブを回転させるスピンドル２２とを有する歯科用ハンドピースであって、前記スリーブの前記スピンドルを挟んで前記歯牙治療具が装着される側と反対側の外周に放射方向に突出した歯を有する出力ギア４０と、前記スリーブの前記出力ギアと前記歯牙治療具との間に配され、前記スリーブを回転自在に支持する軸受と、前記スピンドルの前記ヘッド部側の端部に設けられ、前記出力ギアとかみ合うフェースギア２４とを備える。【選択図】図２
2020018405.tif 000002
【特許請求の範囲】
【請求項１】
ヘッド部の内部に設けられ、歯牙治療具が装着されるスリーブと、前記ヘッド部に連結するグリップ部の内部に設けられ、前記スリーブを回転させるスピンドルとを有する歯科用ハンドピースであって、
前記スリーブの前記スピンドルを挟んで前記歯牙治療具が装着される側と反対側の外周に放射方向に突出した歯を有する出力ギアと、
前記スリーブの前記出力ギアと前記歯牙治療具との間に配され、前記スリーブを回転自在に支持する軸受と、
前記スピンドルの前記ヘッド部側の端部に設けられ、前記出力ギアとかみ合うフェースギアと、を備えることを特徴とする歯科用ハンドピース。
【請求項２】
前記出力ギアの歯底円直径が前記軸受の外径よりも大きいことを特徴とする請求項１に記載の歯科用ハンドピース。
【発明の詳細な説明】
【技術分野】
【０００１】
本発明は、歯科用ハンドピースに関し、特に、ヘッド部内に設けられ、歯牙治療具が装着されるスリーブと、ヘッド部に連結するグリップ部内に設けられ、スリーブを回転させるスピンドルと、を有する歯科用ハンドピースに関する。
【背景技術】
【０００２】
う歯への治療方法は、う蝕部分の除去が一般的であり、歯科用ハンドピースによる歯牙の切削が行われている。歯科用ハンドピースには、圧縮空気によるエアータービンや、モータの回転によるものなどがある。このモータを用いたものは、歯科治療用マイクロエンジンとも呼ばれ、エアータービンに比べて変速が可能である。
【０００３】
例えば、ハンドピースや動力部を備えた歯科用ハンドピースの技術が開示されている（特許文献１、２参照）。ハンドピースは、グリップ部及びヘッド部からなり、グリップ部の一端が動力部のモータに接続され、グリップ部の他端がヘッド部に連結されている。歯牙治療具はヘッド部に装着される。
【０００４】
図４は、従来のヘッド部を説明するための断面図である。ヘッド部１３０内には、スリーブ（回転筒とも言う）１３２が１組のボール軸受１３５，１３６を介して回転自在に支持されている。スリーブ１３２の外周面にはギア１３３が形成され、ギア１２４に歯合する。このギア１２４は、支持筒１２１から突出したスピンドル（回転軸とも言う）１２２の端面に設けられている。これにより、モータ（図示省略）の回転は、スピンドル１２２、ギア１２４，１３３を介してスリーブ１３２や歯牙治療具（図示省略）に伝達される。
【先行技術文献】
【特許文献】
【０００５】
【特許文献１】特開２０１２−８５７８４号公報
【特許文献２】特開２０１５−１９６７４号公報
【発明の概要】
【発明が解決しようとする課題】
【０００６】
しかしながら、従来のヘッド部１３０では、ボール軸受１３５，１３６が、ギア１３３に歯合するスピンドル１２２の端面の位置を避け、スピンドル１２２の側面（より具体的には、ギア１２４の側方）に配置されている。このため、スリーブ１３２の長さを短くできず、ヘッド部１３０の高さ方向でみた小型化を達成できないという問題があった。
【０００７】
また、特許文献２に開示された技術では、これらの課題を解決するためにスピンドルとスリーブとをギアを介して接続しているが、これらのギアは二つの軸受の間に配置されているため、スピンドル側のギアの直径分だけヘッド部の高さが高くなり、小型化への制限が生じていた。
【０００８】
本発明は、上述のような実情に鑑みてなされたもので、ヘッド部の小型化を達成できる歯科用ハンドピースを提供することを目的とする。
【課題を解決するための手段】
【０００９】
上記課題を解決するために、請求項１の発明は、ヘッド部の内部に設けられ、歯牙治療具が装着されるスリーブと、前記ヘッド部に連結するグリップ部の内部に設けられ、前記スリーブを回転させるスピンドルとを有する歯科用ハンドピースであって、前記スリーブの前記スピンドルを挟んで前記歯牙治療具が装着される側と反対側の外周に放射方向に突出した歯を有する出力ギアと、前記スリーブの前記出力ギアと前記歯牙治療具との間に配され、前記スリーブを回転自在に支持する軸受と、前記スピンドルの前記ヘッド部側の端部に設けられ、前記出力ギアとかみ合うフェースギアと、を備えることを特徴としたものである。
【００１０】
そして、請求項２の発明は、請求項１の発明において、前記出力ギアの歯底円直径が前記軸受の外径よりも大きいことを特徴としたものである。
【発明の効果】
【００１１】
本発明によれば、出力ギアの歯底円直径を前記軸受の外径よりも大きくすることにより、軸受とフェースギアとが干渉をせず、フェースギアの直径範囲内に、出力ギア、軸受を配することができる。このため、スリーブを短縮して、ヘッド高さを小さくすることができる。
【図面の簡単な説明】
【００１２】
【図１】本発明の一実施形態に係る歯科用ハンドピースの例を説明するための断面図である。
【図２】図１に示したヘッド部の例を説明するための断面図である。
【図３】図１に示したヘッド部の例を説明するための分解斜視図である。
【図４】従来のヘッド部を説明するための断面図である。
【発明を実施するための形態】
【００１３】
以下、図面を参照しながら本発明の歯科用ハンドピースについて説明する。図１は、本発明の一実施形態に係る歯科用ハンドピースの例を説明するための断面図である。図１に示すハンドピース１０は、第１グリップ部１１、第２グリップ部２０、及びヘッド部３０からなり、第１グリップ部１１の内部には、第１スピンドル１２が設けられている。
【００１４】
第１スピンドル１２は、第１ボール軸受１３，１４を介して回転自在に支持され、第１スピンドル１２の先端には先端ギア１９が、第１スピンドル１２の後端には連結機構１５がそれぞれ設けられている。
【００１５】
連結機構１５は、バネ１６によって動力部（図示省略）に向けて付勢され、動力部のモータに接続される。
【００１６】
第１グリップ部１１の内部には、例えばＬＥＤからの光を導くライドガイド１８が設置されている。ライドガイド１８は、その端面が第２グリップ部２０の内部から表出し、ヘッド部３０に設置された歯牙治療具（図示省略）の先端付近を照らすことができる。第２グリップ部２０は、例えば、第１グリップ部１１に対して傾斜して配置されている。
【００１７】
第２グリップ部２０の内部には、支持筒２１や第２スピンドル２２が設けられている。なお、第２スピンドル２２が本発明のスピンドルに相当する。
【００１８】
第２スピンドル２２は、例えば、第２ボール軸受２５，２６を介して支持筒２１に回転自在に支持されている。なお、本発明は、ボール軸受に限定されない。第２スピンドル２２の後端には後端ギア２３が設けられ、第１グリップ部１１との境界位置にて、第１スピンドル１２の先端ギア１９から第１中間ギア２７を介し、次に第１中間ギア２７の回転を第２中間ギア２８に伝達し、そして第２中間ギア２８から後端ギア２３に先端ギア１９の回転が伝達されている。
【００１９】
一方、第２スピンドル２２の先端にはフェースギア２４が設けられ、このフェースギア２４は支持筒２１から突出してヘッド部３０の内部に達している。なお、図では、一般的なフェースギアと平歯車の例を挙げて説明するが、本発明は必ずしもこの例に限定されるものではない。
ヘッド部３０は、第２グリップ部２０に連結する連結筒３１を有する。連結筒３１は支持筒２１の外側に配置され、ネジ２９を用いて支持筒２１に固定される。
【００２０】
図２は、図１に示したヘッド部の例を説明するための断面図、図３は、図１に示したヘッド部の例を説明するための分解斜視図である。
【００２１】
図２，３に示すように、ヘッド部３０は、歯牙治療具を装着可能なスリーブ３２を有し、スリーブ３２は、第３ボール軸受３５，３６を介してヘッド部３０に回転自在に支持されている。なお、第３ボール軸受３５，３６が本発明の軸受に相当する。
【００２２】
スリーブ３２の回転軸は、第２スピンドル２２の回転軸に対して例えば直交方向に交差している。歯牙治療具は、その根元が開口３４から挿入されてスリーブ３２の内部に装着される。スリーブ３２において、開口３４と反対側には、例えばプレスチャック方式のチャック機構３７が設けられている。スリーブ３２に装着されていた歯牙治療具は、チャック機構３７を押すと、スリーブ３２から抜き取ることができる。
【００２３】
ここで、上述した第３ボール軸受３５，３６は、支持筒２１から突出したフェースギア２４の側方に配置されている。図２に示すように、第３ボール軸受３５と第３ボール軸受３６とを挟んだ歯牙治療具が装着されるスリーブ３２の外周面に出力ギア４０が配されている。この出力ギア４０の歯底円直径Ｄ１が第３ボール軸受３５，３６の外径Ｄ２よりも大きいものとしている。
【００２４】
モータの回転は、第１スピンドル１２、第１中間ギア２７，第２中間ギア２８、第２スピンドル２２を経てフェースギア２４に伝達される。次いで、フェースギア２４に達したモータの回転は、出力ギア４０によって回転方向が直交方向に変更されスリーブ３２や歯牙治療具に伝達される。
【００２５】
従来の技術では、例えば特許文献２に開示されているように、スピンドルに形成されたフェースギアとスリーブを回転させるギアとの間に別のギアを介して動力を伝達していた。これは軸受間に回転動力を伝達させる機構を配するという構成としているためである。
【００２６】
しかしながら、本実施例のように減速ギアを軸受の間ではなく、チャック機構３７側へ配して、この減速ギアとなる出力ギア４０の歯底円直径Ｄ１が第３ボール軸受３５，３６の外径Ｄ２よりも大きいものとすることで、さらなるヘッド部３０の小型化及び構造の簡素化を図ることができる。なお、歯牙治療具刃先の回転速度を調整するためには、例えば後端ギア２３もしくは先端ギア１９の速度比を変更することで対応することができる。このように、回転力の伝達機構が複雑にならず、ヘッド部３０の製造コストを抑制できる。
【符号の説明】
【００２７】
１０…ハンドピース、１１…第１グリップ部、１２…第１スピンドル、１３，１４…第１ボール軸受、１５…連結機構、１６…バネ、１７…ネジ、１８…ライドガイド、１９…先端ギア、２０…第２グリップ部、２１…支持筒、２２…第２スピンドル、２３…後端ギア、２４…フェースギア、２５，２６…第２ボール軸受、２７…第１中間ギア、２８…第２中間ギア、２９…ネジ、３０…ヘッド部、３１…連結筒、３２…スリーブ、３４…開口、３５，３６…第３ボール軸受、３７…チャック機構、４０…出力ギア。
【図１】
2020018405.tif 000003
【図２】
2020018405.tif 000004
【図３】
2020018405.tif 000005
【図４】
2020018405.tif 000006